(57)【特許請求の範囲】
【請求項１】
筐体の吸込口から吸込んだ空気に含まれる塵埃を捕集するフィルタを備えた空気調和機において、前記フィルタを移動させてブラシにより埃を取るフィルタ清掃装置であって、前記フィルタは枠体と縦リブとメッシュ部とを有し、前記ブラシに対向する回動可能なフィルタ押え部材と、前記フィルタ押え部材の両端部には前記フィルタを移動させるギアとを有し、前記フィルタ押え部材は、複数の孔あるいはスリットを有する円筒形部材から構成されて前記ギアと共に回動して前記フィルタを移動させるようにし、前記複数の孔あるいはスリットが前記吸込口から筐体内の熱交換器に向かう空気を通す通気部を備え、前記通気部は前記縦リブと重ならないように位置することを特徴とするフィルタ清掃装置。
【請求項２】
筐体の吸込口から吸込んだ空気に含まれる塵埃を捕集するフィルタを備えた空気調和機において、前記フィルタを移動させてブラシにより埃を取るフィルタ清掃装置であって、前記フィルタは枠体と縦リブとメッシュ部とを有し、前記ブラシに対向する回動可能なフィルタ押え部材と、前記フィルタ押え部材の両端部には前記フィルタを移動させるギアとを有し、前記フィルタ押え部材は、複数の孔あるいはスリットを有する円筒形部材から構成されて前記ギアと共に回動して前記フィルタを移動させるようにし、前記複数の孔あるいはスリットが前記吸込口から筐体内の熱交換器に向かう空気を通す通気部を備え、前記通気部は前記枠体よりも前記フィルタの左右方向内側に位置することを特徴とするフィルタ清掃装置。
【請求項３】
前記通気部は、前記フィルタ押え部材の外周で前記メッシュ部と対向する第一の位置と、前記第一の位置の前記フィルタ押え部材が回動する回動軸に対して対称となる第二の位置に設けられたことを特徴とする請求項１または２に記載のフィルタ清掃装置。
【請求項４】
前記フィルタの左右両端部を保持するとともに前記フィルタの移動を案内する案内路を有し、前記案内路はUターン部を有し、前記フィルタ押え部材は、前記Uターン部の内側に配置されたことを特徴とする請求項１〜３のいずれかに記載のフィルタ清掃装置。
【請求項５】
請求項１〜４のいずれかに記載のフィルタ清掃装置を備えた空気調和機。
【発明の詳細な説明】
【技術分野】
【０００１】
本発明は、吸込んだ空気に含まれる塵埃を捕集するフィルタを清掃するフィルタ清掃装置、及びそれを備えた空気調和機に関する。
【背景技術】
【０００２】
空気調和機は、筐体の吸込口から吸い込んだ室内の空気を冷媒が通過する導管で構成される熱交換器を通すことにより、吸い込んだ空気の温度を低くあるいは高くし、ファンによって吹出口から室内に低温あるいは高温の空気を送り込む。
【０００３】
このとき、空気中に含まれる塵埃がそのまま熱交換器あるいはファンに入り込むと、熱交換性能の低下や故障の原因にもなる。そこで、筐体内の空気通路において、吸込口と熱交換器の間に、空気中の塵埃を捕集するためのフィルタが配され、熱交換器に塵埃が入るのを防止している。
【０００４】
しかしながら、フィルタに塵埃が捕集されていくと、フィルタが目詰まりして、吸い込まれた空気はフィルタを通り抜けにくくなる。その結果、空気調和機の送風性能、あるいは熱交換性能が低下してしまう。
【０００５】
そこで、従来は、フィルタの塵埃捕集性能を維持するために、利用者が定期的に取り外して付着した塵埃の清掃を行っていたが、利用者にとっては、フィルタの取外しが手間であった。
【０００６】
このような問題を解決するために、例えば、特許文献１および特許文献２では、フィルタを移動させ、フィルタ移動経路に備えたブラシによってフィルタの汚れを清掃するフィルタ清掃装置を備えた空気調和機が提案されている。
【先行技術文献】
【特許文献】
【０００７】
【特許文献１】特開２００９−１０３３２９号公報
【特許文献２】特開２０１０−６５８９３号公報
【発明の概要】
【発明が解決しようとする課題】
【０００８】
ところで、この種のフィルタ清掃装置を備えた空気調和機においては、一般的に、熱交換器と吸込口の間にフィルタ清掃装置が配置される。フィルタ清掃装置には、ブラシに対向して回転可能なフィルタ押え部材が設けられる。フィルタ押え部材は、軸方向に長い円筒状に形成され、熱交換器の前方に配置される。このようなフィルタ押え部材によって、熱交換器への空気通路が塞がれることになる。すなわち、フィルタ清掃装置が吸込口から熱交換器に至る空気通路を狭めてしまうことになる。
【０００９】
空気通路が狭くなることにより、空気調和機の吸込み抵抗が増加し、空気調和機の送風性能低下につながる可能性が高い。特に、フィルタ清掃装置の下流側にある熱交換器は、上部に多くの構造部材が存在するために空気の通路が妨げられ、熱交換性能が低下する可能性が高くなる。
【００１０】
本発明は、上記に鑑み、空気調和機の吸込み抵抗が増加しないように空気通路を広げた構造を有するフィルタ清掃装置、及びそれを備えた空気調和機の提供を目的とする。
【課題を解決するための手段】
【００１１】
上記目的を達成するため、本発明は、筐体の吸込口から吸込んだ空気に含まれる塵埃を捕集するフィルタを備えた空気調和機において、前記フィルタを移動させてブラシにより埃を取るフィルタ清掃装置であって、前記ブラシに対向する回動可能なフィルタ押え部材を有し、前記フィルタ押え部材に、前記吸込口から筐体内の熱交換器に向かう空気を通すための通気部が形成されたことを特徴とする。
【００１２】
上記構成によると、フィルタ押え部材が吸込口から熱交換器に向かう空気を通すための通気部を形成しているので、吸込み抵抗の増加を抑制し、吸い込まれた空気が通る空気通路が拡大する。
【００１３】
前記フィルタ押え部材は、回転軸が中心軸となる複数の同一円板形部材から構成され、複数の円板形部材間の空間が通気部である構成が好ましい。このような構成とすることで、円板形部材間の空間が通気部となり、吸込み抵抗をより少なくすることができる。
【００１４】
また、フィルタが挿入されフィルタを移動案内する案内路を備え、前記案内路には、その熱交換器側に縦横に格子状に形成された格子部を有し、該格子部の縦桟と前記円板形部材の側面とが重なるように配置された構成が好ましい。
【００１５】
このような構成とすることで、格子状の縦桟および横桟からなる格子部の縦桟に合わせて円板形部材を配置しているので、もともと通風抵抗があった場所に重なるように円板形部材が配置される。これにより、円板形部材により空気通路を塞ぐ面積を小さくすることができ、吸込み抵抗をより少なくできる。
【００１６】
さらに、前記円板形部材の側面の厚みは、前記格子部を形成する縦桟の幅より小さいことが好ましい。このような構成とすることで、フィルタ押え部材によって空気通路を塞ぐことがなくなるので、吸込み抵抗をより少なくすることができる。
【００１７】
また、他の例として、前記フィルタ押え部材は、複数の孔あるいはスリットを有する円筒形部材から構成され、前記複数の孔あるいはスリットが前記通気部を構成するようにしてもよい。このような構成とすることで、フィルタ押え部材自身に空気通路ができるため吸込み抵抗をより少なくすることができる。
【００１８】
さらに、前記フィルタ押え部材は、周囲に螺旋状に形成された複数のスリットを有する螺旋形部材とから構成され、螺旋状の前記スリットが前記通気部を構成するようにしてもよい。このような構成とすることで、螺旋形部材間に空気通路が形成され、吸込み抵抗をより少なくすることができる。
【００１９】
前記フィルタ押え部材は、移動する前記フィルタに接触する接触部材を備え、前記接触部材のフィルタに接触する外周面に、フィルタの凹凸に対応する凹凸部が形成されるようにしてもよい。フィルタ清掃装置は、フィルタを清掃するとき、フィルタを移動させる。移動してきたフィルタの凹凸が接触部材の凹凸部に噛み合う。フィルタ押え部材が回転することにより、接触部材はフィルタに移動力を付与し、フィルタがスムーズに移動する。なお、接触部材は、前記円板形部材、円筒形部材、螺旋形部材のいずれかとしてもよい。
【００２０】
上記のフィルタ清掃装置を備えた空気調和機では、空気通路の吸込み抵抗が小さくなり、吸込み風量が増加することによって、空気調和機の性能が向上することになる。
【発明の効果】
【００２１】
以上のとおり、本発明によると、フィルタ押え部材に、吸込口から熱交換器に向かう空気を通すための通気部が形成されるため、空気通路の吸込み抵抗が小さくなり、吸込み風量が増加することになり、空気調和機の性能を向上させることができる。
【００２２】
そして、フィルタ押え部材の一部である接触部材がフィルタに接触することにより、フィルタに接触しない部分が空気の通る空間となって、空気通路の吸込み抵抗を小さくすることができる。そして、接触部材の外周面に形成された凹凸部がフィルタの凹凸と噛み合うことにより、移動するフィルタに移動力を付与でき、フィルタをスムーズに移動させることができる。
【図面の簡単な説明】
【００２３】
【図１】本発明の第１の実施の形態に係わる空気調和機の室内ユニットの斜視図
【図２】室内ユニットの正面図
【図３】図２のＡ−Ａ断面図
【図４】第１の実施形態のフィルタ清掃装置の分解斜視図
【図５】フィルタ清掃装置の正面図
【図６】図５のＢ−Ｂ断面図
【図７】（ａ）はフィルタを表側から見た斜視図、（ｂ）はフィルタを裏側から見た斜視図
【図８】第１の実施の形態のダストボックスを取り外したフィルタ清掃装置の斜視図
【図９】第２の実施の形態に係わるフィルタ清掃装置の斜視図
【図１０】第３の実施の形態に係わるフィルタ清掃装置の斜視図
【図１１】第４の実施の形態に係わるフィルタ清掃装置の斜視図
【図１２】（ａ）（ｂ）（ｃ）（ｄ）は夫々第１から第４の実施形態に使用されるフィルタ押え部材の斜視図
【図１３】凹凸部を有するフィルタ押え部材の斜視図
【発明を実施するための形態】
【００２４】
以下、本発明の実施形態を図面に基づいて説明する。本実施形態の空気調和機は、室内ユニットと室外ユニットとが冷媒配管で接続されてなるセパレート型である。図１〜３に示すように、室内ユニットは、横長直方体形状の筐体１の天面に室内空気を吸込む吸込口２が形成され、筐体１の前面下方の開口に吹出口３が形成されている。筐体１の内部には、吸込口２から吹出口３に至る空気通路８が形成され、この空気通路８に熱交換器４ａ，４ｂとファン５が配置されている。吸込口２と熱交換器４ａ，４ｂとの間には、吸込口２から熱交換器４ａ，４ｂに流れる空気に含まれる塵埃を捕集するフィルタ６が吸込口２の裏面に沿って設けられている。
【００２５】
熱交換器４ａ，４ｂは、逆Ｖ字形に配置され、前側の熱交換器４ａと吸込口２との間に、フィルタ清掃装置７が配置される。フィルタ清掃装置７は、フィルタ６が捕集した塵埃を除去するものである。
【００２６】
フィルタ清掃装置７は、図３、４に示すように、フィルタ６を移動させる移動部１０と、フィルタ６を清掃する清掃部１１と、フィルタ６から除去された塵埃を収容するダストボックス１２とを備え、これらがユニットフレーム１３に一体的に設けられる。
【００２７】
フィルタ６は、ユニットフレーム１３に移動可能に保持され、フィルタ６が移動するときには、フィルタ６はユニットフレーム１３によりガイドされる。このユニットフレーム１３により、着脱可能なフィルタ６を移動可能に保持するフィルタ保持装置が構成される。すなわち、フィルタ清掃装置７はフィルタ保持装置を有するものである。
【００２８】
ユニットフレーム１３は、図３に示すように、熱交換器４ａ，４ｂの前面から上面までを覆うように筐体１に取り付けられ、筐体１に対して着脱可能とされる。ユニットフレーム１３の前方に、開閉可能な前面パネル１４が設けられる。前面パネル１４は筐体１に着脱可能に取り付けられる。前面パネル１４は、筐体１の上部の軸周りに開閉し、前面パネル１４が開いたとき、ダストボックス１２が現れる。ダストボックス１２は、ユニットフレーム１３に着脱可能に装着されている。ダストボックス１２を取り外したとき、フィルタ６の着脱が可能となる。
【００２９】
フィルタ６は、図７に示すように、メッシュ部２０と、メッシュ部２０の周囲を取り囲む枠体２１とから構成される。そして、メッシュ部２０と枠体２１とがポリプロピレン樹脂等の合成樹脂により一体的に成形され、枠体２１は前後対称かつ左右対称な形状とされる。また、メッシュ部２０の形状も前後対称かつ左右対称とされる。したがって、前後左右対称なフィルタ６は、前後のいずれの方向からでも筐体１に装着可能とされる。
【００３０】
枠体２１は、左右に位置する縦枠２１ａと前後に位置する横枠２１ｂとから四角形の枠状に形成される。メッシュ部２０の裏面に、補強のために縦リブ２２ａおよび横リブ２２ｂがそれぞれ等間隔に形成されている。メッシュ部２０の表面は面一とされる。
【００３１】
縦枠２１ａに、移動部１０の回転駆動されるピニオンギア２５（図４参照）に噛み合うラック２４が形成される。ラック２４は、フィルタ６の裏面側に凸、表面側では凹となるように形成される。また、ラック２４は、縦枠２１ａの前端から後端にかけて形成され、前後いずれの方向からユニットフレーム１３に装着されても、ピニオンギア２５に噛み合うようになっている。
【００３２】
ユニットフレーム１３は、図４〜６及び図８に示すように、フィルタ６を保持するベース板３０と、左右の側枠３１とから形成される。ベース板３０は、上面から前面にかけて湾曲し、平坦な下面を有する。ベース板３０の左右両端に側枠３１が一体的に立設される。ベース板３０の湾曲部分は開口しており、ベース板３０の左右方向（室内ユニットの長手方向）の中央にセンタ枠３２が設けられ、開口が２分割される。開口に、縦横の桟３３によって格子部３４が形成される。格子部３４は、熱交換器４ａ，４ｂに対向する位置にあり、フィルタ６を通過した空気が熱交換器４ａ，４ｂに向かって格子部３４を通り抜ける。左右の開口にそれぞれフィルタ６が配される。
【００３３】
ユニットフレーム１３に、移動するフィルタ６をガイドする案内路３５が形成される。図３に示すように、清掃時に、フィルタ６は、吸込口２と熱交換器４ａ，４ｂとの間に装着された装着位置から下に向かって移動し、Ｕターンして、格子部３４に沿って移動し、吸込口２と前側の熱交換器４ａとの間に達する。
【００３４】
ユニットフレーム１３の左右の側枠３１およびセンタ枠３２に、側面から見てσ形状のガイド溝３６が形成され、このガイド溝３６に、フィルタ６の縦枠２１ａがスライド可能に嵌り込む。ガイド溝３６およびベース板３０の格子部３４によって、フィルタ６がＵターンするように移動するための案内路３５が、ユニットフレーム１３の前面から上面にかけての空間に形成される。
【００３５】
移動部１０は、フィルタ６のラック２４に噛み合うピニオンギア２５と、ピニオンギア２５を回転駆動するステッピングモータ４１と、フィルタ６の移動を補助するフィルタ押え部材４２とを有する。
【００３６】
ユニットフレーム１３の側枠３１の外面側にステッピングモータ４１が取り付けられ、側枠３１の内面側にピニオンギア２５が回転自在に支持される。センタ枠３２にも、ピニ
オンギア２５が回転自在に支持される。ステッピングモータ４１のモータ軸に取り付けられたギアを介してピニオンギア２５に回転駆動力が伝達される。左右のピニオンギア２５は、回転軸４３によって連結される。回転軸４３に、フィルタ押え部材４２が取り付けられる。ピニオンギア２５の回転に連動して、フィルタ押え部材４２も回転する。なお、移動部１０は、左右のフィルタ６に対応して、左右一対に設けられる。２つのステッピングモータ４１は同期して駆動される。
【００３７】
図４〜６に示すように、ベース板３０の下面に、ダストボックス１２が装着される。ダストボックス１２は、左右のフィルタ６に対してそれぞれ設けられる。図６に示すように、ダストボックス１２は、フィルタ６から除去された塵埃を溜める集塵箱４５と、湾曲しながら移動するフィルタ６を押えるフィルタガイド４６と、フィルタ６の移動をガイドするガイドリブ４７とを備えている。
【００３８】
清掃部１１は、フィルタ６に接触して、塵埃を掻き取る回転ブラシ５０と、回転ブラシ５０を回転駆動する清掃モータ５１とを有する。回転ブラシ５０は、ダストボックス１２に着脱可能に設けられ、ダストボックス１２に回転ブラシ５０が一体化されている。図６に示すように、回転ブラシ５０の上方に回転ブラシ５０と対向してローラ状のフィルタ押え部材４２が配置される。
【００３９】
集塵箱４５は、フィルタ押え部材４２の下方に配置される。集塵箱４５は、上面が開放された箱状に形成され、上面に塵埃が出入りする開口が形成される。この開口は通過するフィルタ６に面している。
【００４０】
図６に示すように、集塵箱４５の前側の上部に、フィルタガイド４６が設けられる。フィルタガイド４６の下部が集塵箱４５の上部に差し込まれることにより、フィルタガイド４６は集塵箱４５に固定される。フィルタガイド４６は、集塵箱４５に対して取り外し可能とされる。そして、フィルタガイド４６は、フォルタ押え部材４２の前方に位置して、ユニットフレーム１３の前面に沿って移動するフィルタ６の前面を覆う。前面パネル１４を開いたとき、フィルタ６はフィルタガイド４６に隠される。したがって、前面パネル１４が開かれてもフィルタ６が露出しないので、フィルタ６に付着した塵埃が飛散することを防げる。
【００４１】
フィルタガイド４６のフィルタ６に対向する後面に、補助ガイドリブ４８が形成される。補助ガイドリブ４８は、案内路３５のＵターン部の前側部分に位置して、上下方向にフィルタ押え部材４２の外周面に沿って湾曲するように形成される。複数の補助ガイドリブ４８が、左右方向に間隔をおいて配置される。
【００４２】
ガイドリブ４７は、集塵箱４５に開閉自在に設けられる。ガイドリブ４７は、案内路３５のＵターン部の下側部分に位置して、前後方向に形成される。複数のガイドリブ４７が左右方向に間隔をおいて配置される。左右方向の両側にあるガイドリブ４７はピニオンギア２５に対向し、中央にある複数、ここでは３つのガイドリブ４７はフィルタ押え部材４２に対向し、各ガイドリブ４７が集塵箱４５に対して閉じた状態にあるとき、ガイドリブ４７の上面が凹状に湾曲するように形成される。
【００４３】
図４及び図８に示すように、フィルタ押え部材４２は、回転ブラシ５０と対向して、回転ブラシ５０の上方に配置される。フィルタ押え部材４２は、回転軸４３に固定され、回転可能に配置されている。フィルタ押え部材４２は、案内路３５のＵターン部の内側に位置して、フィルタ押え部材４２を外周側から覆うように配置されたフィルタガイド４６およびガイドリブ４７との間で、フィルタ６の移動をガイドすると共に、フィルタ６を回転ブラシ５０側に押圧する。
【００４４】
フィルタ押え部材４２は、図１２（ａ）に示すように、回転軸４３に取り付けられた複数の円板形部材５１から構成される。複数の円板形部材５１は所定間隔をおいて軸方向に並べて配置される。円板形部材５１は、フィルタ６に接触する接触部材である。隣り合う円板形部材５１間に空間が形成される。隣り合う円板形部材５１の間は、回転軸４３を除いて円板形部材５１の存在しない空間であり、この空間が吸込口から熱交換器４ａ，４ｂに向かう空気を通すための通気部５２とされる。通気部５２を通じて吸込口２から熱交換器４に向かう空気が流通可能とされる。この通気部５２が形成されることにより、吸込口２から前側の熱交換器４ａに向かう空気通路８が広げられる。
【００４５】
複数の円板形部材５１は、移動するフィルタ６の内周面に均一に接触して案内するために同径の円板から形成される。円板形部材５１の中心を角形の回転軸４３が貫通し、円板形部材５１は、左右方向にずれないように回転軸４３に固定される。
【００４６】
フィルタ６は、案内路３５に沿って移動し、案内路３５をＵターンして格子部３４に沿って移動し、吸込口２と熱交換器４との間に達する。このとき、Ｕターンする案内路３５の内側にあるフィルタ押え部材４２が回転し、フィルタ６は左右方向全域に亘って円板形部材５１の外周に沿って移動案内される。フィルタ６の清掃時以外は、フィルタ押え部材４２は停止している。
【００４７】
本例では、円板形部材５１は、ユニットフレーム１３のベース板３０に形成された格子部３４の縦桟３３と前記円板形部材５１の外周面（側面）とが重なるように、円板形部材５１が配置されている。さらに、円板形部材５１の側面の厚みは、前記格子部３４の縦桟３３の左右幅より小さく形成されている。また、フィルタ６のメッシュ部２０に形成された縦リブ２２ａと、ベース板３０の格子部３４における縦桟３３と、円板形部材５１とが相互に重なるように配列する構成がより好ましい。
【００４８】
上記のフィルタ押え部材４２は複数の円板形部材５１で構成されているので、円板形部材５１が存在しない空間が通気部５２となり、吸込口２から吸込んだ空気を通気部５２を通じて熱交換器４ａ，４ｂ側に通過させることができる。そのため、従来の閉塞型のフィルタ押え部材を配置する場合に比べて吸込み抵抗をより少なくすることができる。
【００４９】
また、円板形部材５１の外周面（側面）がフィルタ清掃装置７の格子部３４の縦桟３３に重なるように位置している。元々、縦桟３３による通風抵抗がある場所にフィルタ押え部材４２を配置しているが、縦桟３３と円板形部材５１とが重なることにより、円板形部材５１は空気の流れの邪魔にならず、円板形部材５１による吸込み抵抗をより少なくすることができる。そして、円板形部材５１の側面の厚みは格子部３４の縦桟３３の厚みより小さいので、フィルタ押え部材４２による吸込み抵抗をより少なくすることができる。
【００５０】
図９は、第２の実施の形態に係わるフィルタ清掃装置の斜視図である。第２の実施形態では、フィルタ押え部材４２は、複数のスリット５４を有する円筒形部材５５から構成され、スリット５４が通気部５２を形成する。
【００５１】
円筒形部材５５は、図１２（ｂ）に示すように、左右両端に配置された円板５５ａの間に差し渡された複数のフィルタ押え棒５６から形成される。両円板５５ａの中心に回転軸４３が差し渡され、円板５５ａは回転軸４３に固定される。フィルタ押え棒５６は回転軸４３と平行に回転軸４３を中心とした同心円上に配置され、各フィルタ押え棒５６間の空間が横長のスリット５４とされる。断面円形のフィルタ押え棒５６がフィルタ６に接触することにより、円筒形部材５５が接触部材とされる。
【００５２】
ここで、円筒形部材５５の空気抵抗を考えれば、フィルタ押え棒５６はそのフィルタ押え機能に支障のない程度の剛性を備えた径とし、フィルタ押え棒５６間のスリット幅を、空気通路の流路抵抗が極力少なくなる幅に設定するのが好ましい。
【００５３】
なお、フィルタ押え棒５６の曲げ剛性を考慮すれば、左右方向中央位置に図１２（ａ）に示すような円板形部材５１を介在する構成であってもよい。
【００５４】
円筒形部材５５のスリット５４が通気部５２となり、吸込口２から吸い込まれた空気がスリット５４を通って熱交換器４ａ，４ｂ側へと通過する。そのため、従来に比べてフィルタ押え部材４２の吸込み抵抗をより少なくすることができる。
【００５５】
図１０は第３の実施の形態に係わるフィルタ清掃装置の斜視図である。フィルタ押え部材４２は、複数の孔５７を有する円筒形部材５８から構成され、複数の孔５７が通気部５２を形成する。筒面を貫通する孔５７は、円形に形成され、一定間隔で整列した状態に形成される。円筒形部材５８の外周面がフィルタ６に接触することにより、円筒形部材５５が接触部材とされる。
【００５６】
円筒形部材５８に形成された複数の孔５７により、前方から後方に通じる空間が形成され、この空間が通気部５２となる。吸込口２から吸い込まれた空気は複数の孔５７を通り抜けて熱交換器４ａ，４ｂに達する。したがって、フィルタ押え部材４２の吸込み抵抗が小さくなり、吸込み風量が増加することによって、空気調和機の性能が向上することになる。
【００５７】
なお、上記の円筒形部材５８では、円形の孔５７を多数縦横に整列して形成したが、他の配列、例えば、千鳥状、散点状、バイアス状等に配列してもよい。また、勿論、ランダム形状の配置であったり、あるいは、孔径の異なる、あるいは同径の多数の孔を形成してもよい。さらに、孔は本例のような真円のみならず、長孔、楕円、菱形など各種の形状を採用することができる。
【００５８】
図１１は第４の実施の形態に係わるフィルタ清掃装置の斜視図である。本例においては、フィルタ押え部材４２は、複数の螺旋形部材５９から構成され、螺旋形部材５９同士の間に螺旋形状のスリット６０が形成され、このスリット６０が通気部５２を形成する。
【００５９】
螺旋形部材５９は、左右両端に配置された円板５９ａの間に差し渡され、左右方向に延びた螺旋状のブレードから形成される。両円板５９ａの中心に回転軸４３が差し渡され、円板５９ａは回転軸４３に固定される。複数の螺旋形部材５９は回転軸４３に沿って一定間隔で配置され、各螺旋形部材５９間の空間が軸方向に延びた螺旋形状のスリット６０とされる。螺旋形部材５９の外周面がフィルタ６に接触することにより、螺旋形部材５９が接触部材とされる。
【００６０】
螺旋形部材５９に形成された複数のスリット６０により、前方から後方に通じる空間が形成され、この空間が通気部５２となる。吸込口２から吸い込まれた空気は複数のスリット６０を通り抜けて熱交換器４ａ，４ｂに達する。したがって、フィルタ押え部材４２の吸込み抵抗が小さくなり、吸込み風量が増加することによって、空気調和機の性能が向上することになる。
【００６１】
以上のとおり、第１実施形態〜第４実施形態のフィルタ押え部材４２に吸込口２から熱交換器４ａ，４ｂに向かう空気を通すための通気部５２が形成されているので、吸込み抵抗の増加を抑制でき、室内ユニット内にフィルタ清掃装置７を設けても空気通路８を拡大することができる。これにより、吸込み風量が増加することになり、空気調和機の性能を
向上させることができる。
【００６２】
ところで、フィルタ６の清掃中、フィルタ押え部材４２は移動するフィルタ６に接触して、フィルタ６の移動をガイドする。フィルタ６がスムーズに移動できるようにするために、図１３に示すように、フィルタ押え部材４２の接触部材７０の外周面に、フィルタ６の凹凸に対応する凹凸部７１が形成される。
【００６３】
接触部材７０は、左右方向に所定の幅を有する円板とされる。回転軸４３が接触部材７０に差し込まれ、回転軸４３に複数の接触部材７０が一定間隔で並べられる。隣り合う接触部材７０の間の空間、すなわち接触部材７０の存在しない空間が通気部５２とされる。なお、図中、７２は回転軸４３に差し込まれた位置ずれ防止用のスリーブである。
【００６４】
フィルタ６には、移動方向に直交する方向（左右方向）に横リブ２２ｂが複数形成されている。横リブ２２ｂによりフィルタ押え部材４２に対向するフィルタ６の裏面が凹凸になっている。接触部材７０の凹凸部７１は、湾曲面を有する溝７３によって形成される。溝７３は、接触部材７０の外周面に軸方向に平行にかつ円周方向に一定間隔で複数形成される。凹凸部７１の溝７３に横リブ２２ｂが嵌まる。隣り合う溝７３の間は、外側に向かって盛り上がった湾曲面を有する凸部７４になっている。
【００６５】
フィルタ清掃装置７がフィルタ６を清掃するとき、ステッピングモータ４１の駆動により回転軸４３が回転して、ピニオンギア２５が回転するとともに接触部材７０も回転する。フィルタ６が移動して、フィルタ６が回転ブラシ５０に接触する位置にきたとき、フィルタ６は接触部材７０に接触する。
【００６６】
接触部材７０に凹凸部７１がない場合、接触部材７０の外周面にフィルタ６が接触するだけであり、接触部材７０はフィルタ６の移動に何も寄与しない。しかし、接触部材７０に凹凸部７１が形成されているので、フィルタ６の横リブ２２ｂが凹凸部７１の溝７３に嵌まる。フィルタ６の凹凸と接触部材７０の凹凸部７１とが噛み合うことにより、フィルタ６が接触部材７０に密着するようになる。接触部材７０の回転により、フィルタ６に移動力が付与されてフィルタ６の移動が助長され、フィルタ６をスムーズに搬送することができる。
【００６７】
以上の通り、本発明のフィルタ清掃装置７は、筐体１の吸込口２から吸込んだ空気に含まれる塵埃を捕集するフィルタ６を備えた空気調和機において、前記フィルタ６を移動させて回転ブラシ５０により埃を取るものであって、前記回転ブラシ５０に対向する回動可能なフィルタ押え部材４２を有し、前記フィルタ押え部材４２に、前記吸込口２から筐体１内の熱交換器４ａ，４ｂに向かう空気を通すための通気部５２が形成されたものである。
【００６８】
このフィルタ押え部材４２に形成された通気部５２により、吸込み抵抗の増加を抑制でき、吸い込まれた空気が通る空気通路８を拡大することができる。
【００６９】
すなわち、フィルタ押え部材４２は、移動する前記フィルタ６に接触する接触部材７０を備え、前記フィルタ押え部材４２における前記接触部材７０の存在しない空間が前記吸込口２から筐体１内の熱交換器４ａ，４ｂに向かう空気を通すための通気部５２とされたものである。
【００７０】
フィルタ押え部材４２は、吸込口２から吸い込まれた空気が通る空気通路８内にある。フィルタ６を清掃するとき、フィルタ押え部材４２の接触部材７０は、移動するフィルタ６に接触して、フィルタ６を回転ブラシ５０に押し付ける。この接触部材７０は、空気通
路８における空気の流れを阻害する。しかし、フィルタ押え部材４２には、接触部材７０が存在しない空間があり、この空間を通じて空気がフィルタ押え部材４２を通り抜け、熱交換器４ａ，４ｂに達する。したがって、吸込み抵抗の増加を抑制でき、空気通路８内にフィルタ押え部材４２が配置されていても、吸い込まれた空気が通る空気通路８を拡大できる。
【００７１】
接触部材７０のフィルタ６に接触する外周面に、フィルタ６の凹凸に対応する凹凸部７１が形成される。フィルタ清掃装置７は、フィルタ６を清掃するとき、フィルタ６を移動させる。このとき、フィルタ押え部材４２が回転する。接触部材７０の凹凸部７１にフィルタ６の凹凸が噛み合うことにより、接触部材７０はフィルタ６に移動力を付与し、フィルタ６がスムーズに移動する。
【００７２】
フィルタ６に、移動方向に直交する方向に横リブ２２ｂが形成され、前記凹凸部７１に前記横リブ２２ｂが嵌まる。横リブ２２ｂはフィルタ６に突出して形成されているので、横リブ２２ｂと凹凸部７１とが噛み合い、フィルタ押え部材４２が回転すると、フィルタ６の移動が助長される。
【００７３】
接触部材７０は、円板形、円筒形、軸方向に延びた螺旋形のいずれかの形状とされたものである。すなわち、円板形部材５１、円筒形部材５５，５８、螺旋形部材５９のそれぞれの外周面に凹凸部７１が形成される。
【００７４】
なお、本発明は、上記実施形態に限定されるものではなく、本発明の範囲内で多くの修正・変更を加えることができるのは勿論である。例えば、上記実施形態ではセパレート型の空気調和機における室内ユニットにフィルタ清掃装置７を適用したが、一体型の空気調和機にフィルタ清掃装置７を適用してもよいことは勿論である。
【００７５】
また、通気部５２として、図１２（ａ）〜（ｄ）に示す各種態様を説明したが、これに限らず、例えば、孔やスリット等の通気部５２は、フィルタ６の移動中に、回転ブラシ５０により円筒形部材５５，５８の内部に塵埃が侵入するおそれがあるので、円筒形部材５５，５８の内面を摺動するシャッタを設け、フィルタ移動中はシャッタを閉じ、フィルタ６が使用姿勢に戻ったとき、シャッタを開放して空気調和運転中はシャッタを開放状態にしておく機構を付加することができる。
【００７６】
凹凸部７１が形成される接触部材７０として、図１２（ａ）〜（ｄ）に示す円板形部材５１、円筒形部材５５，５８、螺旋形部材５９であってもよく、各部材の外周面に凹凸部７１が形成される。あるいは、各部材と接触部材７０とを組み合わせてもよい。例えば、隣り合う円板形部材５１の間に接触部材７０を配置する。円筒形部材５５，５８、螺旋形部材５９の軸方向の中間に接触部材７０を挿入する。さらに、凹凸部７１に通気用の孔を形成して、空気が通り抜けるようにしてもよい。また、接触部材７０の外周面に、ブラシのような突起物を設けることにより、外周面に凹凸部７１を形成してもよい。このような接触部材７０の凹凸部７１がフィルタ６のメッシュ部２０に入り込み、フィルタ６に移動力を付加できる。しかも、突起物によりフィルタ６に詰まった埃を除去でき、清掃能力を向上できる。
【符号の説明】
【００７７】
１    筐体
２    吸込口
３    吹出口
４ａ，４ｂ    熱交換器
５    ファン
６    フィルタ
７    フィルタ清掃装置
８    空気通路
２０    メッシュ部
２２ａ  縦リブ
２２ｂ  横リブ
４２    フィルタ押え部材
４３    回転軸
５０    回転ブラシ
５１    円板形部材
５２    通気部
５４    スリット
５５    円筒形部材
５７    孔
５８    円筒形部材
５９    螺旋形部材
６０    スリット
７０    接触部材
７１    凹凸部
７３    溝
７４    凸部
【図１】
0006272538.tif 000002
【図２】
0006272538.tif 000003
【図３】
0006272538.tif 000004
【図４】
0006272538.tif 000005
【図５】
0006272538.tif 000006
【図６】
0006272538.tif 000007
【図７】
0006272538.tif 000008
【図８】
0006272538.tif 000009
【図９】
0006272538.tif 000010
【図１０】
0006272538.tif 000011
【図１１】
0006272538.tif 000012
【図１２】
0006272538.tif 000013
【図１３】
0006272538.tif 000014